(57)【要約】      （修正有）【課題】ループ及びタオル本体を備えるループ付きタオルであって、フックによってタオルを他の物体に吊り下げた状態で、ループの内側にタオル本体を通した状態を維持することが可能なループ付きタオルを提供する。【解決手段】本考案のループ付きタオルは、長方形を呈するタオル本体２と、タオル本体２の長辺２ａの中央位置に取り付けられた第一ループＲ１及び第二ループＲ２を備えており、第一ループＲ１に捻りを加えていない状態において、第二ループＲ２は、第一ループＲ１の内側に位置し、第一ループＲ１に捻りを加えて第一ループＲ１の表裏を逆転させることで、第二ループＲ２を露出させることが可能である。【選択図】図７
0003227014.tif 000002
【実用新案登録請求の範囲】
【請求項１】
タオル本体と、
前記タオル本体の外縁に取り付けられた複数のループとを備えるループ付きタオル。
【請求項２】
前記タオル本体は、四角形を呈しており、  
前記ループとして、前記タオル本体の一辺に取り付けられた第一ループ及び第二ループを備える請求項１に記載されるループ付きタオル。
【請求項３】
前記第一ループ及び前記第二ループは、前記タオル本体の一辺の同一位置に取り付けられており、
前記第一ループに捻りを加えていない状態において、前記第二ループは、前記第一ループの内側に位置し、前記第一ループに捻りを加えて前記第一ループの表裏を逆転させることで、前記第二ループを露出させることが可能である請求項２に記載のループ付きタオル。
【請求項４】
前記タオル本体は、長方形を呈しており、
前記第一ループ及び前記第二ループは、前記タオル本体の長辺の中央位置に取り付けられている請求項３に記載のループ付きタオル。
【請求項５】
前記タオル本体は、長方形を呈しており、
前記第一ループ及び第二ループは、前記タオル本体の同一の長辺に取り付けられており、
前記タオル本体の短辺の長さをＬｃｍとしたときに、前記タオル本体の長辺の長さは１Ｌｃｍ以上５Ｌｃｍ以下であり、前記タオル本体の総重量は０．８Ｌｇ以上９Ｌｇ以下であり、前記第一ループの周回りの長さは０．２Ｌｃｍ以上０．７Ｌｃｍ以下であり、前記第一ループの幅は０．０３Ｌｃｍ以上０．２Ｌｃｍ以下であり、前記第二ループの周回りの長さは０．０３Ｌｃｍ以上０．１Ｌｃｍ以下であり、前記第二ループの幅は０．０３Ｌｃｍ以上０．２Ｌｃｍ以下である請求項２乃至４のいずれかに記載のループ付きタオル。
【請求項６】
前記第一ループ及び前記第二ループは、それぞれ、綿、ポリエステル、ナイロン、或いはポリウレタンから形成される請求項１乃至５のいずれかに記載のループ付きタオル。
【請求項７】
前記第一ループ及び前記第二ループの一方又は双方は、白色の素材から形成されている請求項６に記載のループ付きタオル。
【考案の詳細な説明】
【技術分野】
【０００１】
本考案は、ループがタオル本体に取り付けられたループ付きタオルに関する。
【背景技術】
【０００２】
タオルは、家庭や職場で使用頻度の高い布製品であり、使用時及び非使用時に様々な形態とされる。例えば、タオルで汗を拭う際にはタオルは拡げた形態とされ、タオルを戸棚や鞄等に収容する際にはタオルは折り畳まれた形態とされ、ペットボトル等の飲料容器をタオルで覆う際にはタオルは巻き回された形態（飲料容器に巻き付けた形態）とされる。
【０００３】
特許文献１，２には、タオルに取り付けた１つのループを用いることで、タオルの形態を維持する技術が開示されている。特許文献１では、タオルを巻き付けた飲料容器をループ（輪ゴム）の内側に通すことで、タオルを飲料容器に巻き付けた状態が維持される。特許文献２では、ユーザに巻き付けたタオルの一端部及び他端部を、ループの内側に通すことで、タオルをユーザに巻き付けた状態が維持される。
【先行技術文献】
【特許文献】
【０００４】
【特許文献１】特開２０１０−２６５５６９号公報
【特許文献２】公開実用新案公報  昭６０−８６９８
【考案の概要】
【考案が解決しようとする課題】
【０００５】
ところで、ユーザがスポーツを行なっている間や、ユーザが屋外を歩いている間など、ユーザがある行為を行なっている間において、ユーザの近傍にある物体（例えば衣服やベビーカー）にタオルを吊り下げることができれば、ユーザは、手を使うことなくタオルを携帯でき、且つ、所望のタイミングでタオルで汗や汚れ等を拭くことができる。さらにタオルをコンパクトにした状態でタオルを上記の物体に吊り下げることができれば、タオルが床や地面に接触することや、タオルがユーザの行為の妨げになることを防止できる。
【０００６】
そこで特許文献１，２に開示される１つのループを備えるループ付きタオルにおいて、コンパクトな形態（折り畳んだ形態や巻き回した形態）にしたタオルの状態を維持すべく、ループの内側にタオルを通してタオルにループを巻き付けるとともに、当該ループにフックを引っ掛けることでタオルをユーザの近傍にある物体（衣服やベビーカー等）に吊り下げることが考えられる。しかしこの場合には、フックの牽引力によって、ループが伸びたり、ループの位置がずれることで、ループの内側にタオルを通した状態（つまりタオルにループを巻き付けた状態）を維持できなくなる虞がある。
【０００７】
本考案は、上記事項に鑑みてなされたものであって、その目的は、ループ及びタオル本体を備えるループ付きタオルであって、フックによってタオルを他の物体に吊り下げた状態で、ループの内側にタオル本体を通した状態を維持することが可能なループ付きタオルを提供することにある。
【課題を解決するための手段】
【０００８】
上記目的を達成するため、本考案は、次の項に記載の主題を包含する。
【０００９】
項１．タオル本体と、
前記タオル本体の外縁に取り付けられた複数のループとを備えるループ付きタオル。
【００１０】
項２．前記タオル本体は、四角形を呈しており、  
前記ループとして、前記タオル本体の一辺に取り付けられた第一ループ及び第二ループを備える請求項１に記載されるループ付きタオル。
【００１１】
項３．前記第一ループ及び前記第二ループは、前記タオル本体の一辺の同一位置に取り付けられており、
前記第一ループに捻りを加えていない状態において、前記第二ループは、前記第一ループの内側に位置し、前記第一ループに捻りを加えて前記第一ループの表裏を逆転させることで、前記第二ループを露出させることが可能である項２に記載のループ付きタオル。
【００１２】
項４．前記タオル本体は、長方形を呈しており、
前記第一ループ及び前記第二ループは、前記タオル本体の長辺の中央位置に取り付けられている項３に記載のループ付きタオル。
【００１３】
項５．前記タオル本体は、長方形を呈しており、
前記第一ループ及び第二ループは、前記タオル本体の同一の長辺に取り付けられており、
前記タオル本体の短辺の長さをＬｃｍとしたときに、前記タオル本体の長辺の長さは１Ｌｃｍ以上５Ｌｃｍ以下であり、前記タオル本体の総重量は０．８Ｌｇ以上９Ｌｇ以下であり、前記第一ループの周回りの長さは０．２Ｌｃｍ以上０．７Ｌｃｍ以下であり、前記第一ループの幅は０．０３Ｌｃｍ以上０．２Ｌｃｍ以下であり、前記第二ループの周回りの長さは０．０３Ｌｃｍ以上０．１Ｌｃｍ以下であり、前記第二ループの幅は０．０３Ｌｃｍ以上０．２Ｌｃｍ以下である項２乃至４のいずれかに記載のループ付きタオル。
【００１４】
項６．前記第一ループ及び前記第二ループは、それぞれ、綿、ポリエステル、ナイロン、或いはポリウレタンから形成される項１乃至５のいずれかに記載のループ付きタオル。
【００１５】
項７．前記第一ループ及び前記第二ループの一方又は双方は、白色の素材から形成されている項６に記載のループ付きタオル。
【考案の効果】
【００１６】
本考案のループ付きタオルによれば、複数のループを備えるため、一のループにタオル本体を通すとともに、他のループにフックを引っ掛けて当該フックによってタオルを他の物体に吊り下げることができる。つまりタオル本体を通すループと、フックを引っ掛けるループとを別々にすることができるので、フックの牽引力によって、タオル本体を通した一のループが伸びたり、当該一のループの位置がずれることを回避できる。したがってフックによってタオルを他の物体に吊り下げた状態で、一のループの内側にタオル本体を通した状態を維持できる。
【図面の簡単な説明】
【００１７】
【図１】本考案の実施形態に係るループ付きタオルの正面図である。
【図２】図１のＡ−Ａ線断面図である。
【図３】本考案の実施形態に係るループ付きタオルの一部を示す斜視図であり、第一ループに捻りを加えていないときの状態を示す。
【図４】本考案の実施形態に係るループ付きタオルの一部を示す斜視図であり、第一ループに捻りを加えたときの状態を示す。
【図５】上図は、本考案の実施形態に係るループ付きタオルがズボンに吊り下げられた状態を示す斜視図であり、下図は、ズボンに吊り下げられたループ付きタオルを拡大して示す斜視図である。
【図６】上図は、本考案の実施形態に係るループ付きタオルがベビーカーに吊り下げられた状態を示す斜視図であり、下図は、ベビーカーに吊り下げられたループ付きタオルを拡大して示す斜視図である。
【図７】上図は、タオル本体がコンパクトな形態にされているときのタオルの状態を示す斜視図であり、下図は、コンパクトな形態にされたタオル本体に第一ループが巻き付けられた状態を示す斜視図である。
【図８】上図は、タオル本体がコンパクトな形態にされているときのタオルの状態を示す斜視図であり、下図は、コンパクトな形態にされたタオル本体に第一ループが巻き付けられた状態を示す斜視図である。
【図９】タオル本体をコンパクトな形態にする作業の一例を示す正面図である。
【図１０】図２に対応する断面図であって、本考案の変形例のループ付きタオルを示す。
【図１１】左図及び右図は、本考案の変形例のループ付きタオルを示す斜視図である。
【図１２】本考案のループ付きタオルの使用時の状態を示す斜視図である。
【図１３】本考案のループ付きタオルの使用時の状態を示す斜視図である。
【考案を実施するための形態】
【００１８】
以下、本考案の実施形態について説明する。図１は、本考案の実施形態に係るループ付きタオル１の正面図である。図２は、図１のＡ−Ａ線断面図である（図２では、タオル１の一部の図示を省略している）。図３及び図４は、ループ付きタオル１の一部を示す斜視図である。
【００１９】
本実施形態に係るループ付きタオル１は、タオル本体２と、第一ループＲ１と、第二ループＲ２とを備える。
【００２０】
タオル本体２、第一ループＲ１、及び第二ループＲ２は、それぞれ、綿、ポリエステル、ナイロン、或いはポリウレタンから形成される。タオル本体２は長方形を呈しており、第一ループＲ１及び第二ループＲ２は、タオル本体２の長辺２ａの中央位置に取り付けられる。
【００２１】
第一ループＲ１及び第二ループＲ２は、それぞれ、上記の材料（綿、ポリエステル、ナイロン、或いはポリウレタン）から形成された帯材がループ状とされたものであり、第二ループＲ２の周回りの長さは、第一ループＲ１の周回りの長さ未満とされる。上記の「第一ループＲ１の周回りの長さ」は、「第一ループＲ１を構成する帯材の長さ」に相当し、上記の「第二ループＲ２の周回りの長さ」は、「第二ループＲ２を構成する帯材の長さ」に相当する。
【００２２】
本実施形態のタオル１では、上記の帯材を用いて以下の作業Ａ，Ｂ，Ｃが順次実行されることで、第一ループＲ１及び第二ループＲ２がタオル本体２に取り付けられる。
【００２３】
作業Ａ：第一ループＲ１を構成する帯材（以下、帯材Ｒ１と記す）の一方面３が表面（外面）となり、帯材Ｒ１の他方面４が裏面（内面）となるように、帯材Ｒ１をループ状にして、帯材Ｒ１の一端部５の一方面３をタオル本体２の外縁部の一方面６に当接させ、帯材Ｒ１の他端部７の一方面３をタオル２の外縁部の他方面８に当接させる。
作業Ｂ：第二ループＲ２を構成する帯材（以下、帯材Ｒ２と記す）の一方面９が表面（外面）となり、帯材Ｒ２の他方面１０が裏面（内面）となるように、帯材Ｒ２をループ状にして、帯材Ｒ２の一端部１１の他方面１０を帯材Ｒ１の一端部５の他方面４に当接させ、帯材Ｒ２の他端部１２の他方面１０を帯材Ｒ１の他端部７の他方面４に当接させる。
作業Ｃ：重ね合わせた帯材Ｒ２の一端部１１・帯材Ｒ１の一端部５・タオル本体２の外縁部・帯材Ｒ１の他端部７・帯材Ｒ２の他端部１２を、糸１３で縫い合わせる。
【００２４】
上記の作業Ａ，Ｂ，ＣによってループＲ１，Ｒ２がタオル本体２に取り付けられることで、第一ループＲ１に捻りを加えていない通常の状態では（つまり図２及び図３に示すように第一ループＲ１の一方面３が第一ループＲ１の表面（外面）となり、第一ループＲ１の他方面４が第一ループＲ１の裏面（内面）となる状態では）、第二ループＲ２は第一ループＲ１の内側に位置したものとなる。なお上記の「第二ループＲ２が第一ループＲ１の内側に位置する」とは、「タオル１を正面から視た状態（図１に示す状態）で、第二ループＲ２の一部又は全体が、第一ループＲ１によって隠されること」を意味する（図１は、第二ループＲ２の全体が、第一ループＲ１によって隠される例を示している）。そして図４に示すように、第一ループＲ１に捻りを加えて、第一ループＲ１の表裏を逆転させた状態において（すなわち第一ループＲ１の一方面３が第一ループＲ１の裏面（内面）となり、第一ループＲ１の他方面４が第一ループＲ１の表面（外面）となる状態において）、第二ループＲ２を露出させることが可能である。上記の「第二ループＲ２を露出させることが可能」とは、「タオル１を正面から視た状態（図１に示す状態）で第一ループＲ１によって隠されていた第二ループＲ２の範囲の少なくとも一部を、露出させることが可能であること」を意味する（図４は、第二ループＲ２の全体が露出した状態を示している）。
【００２５】
本実施形態のループ付きタオル１によれば、タオル本体２に２つのループＲ１，Ｒ２が取り付けられることで、図５及び図６に示すように、タオル本体２を内側に通すループＲと、フックＦを引っ掛けるループＲとを、別々にすることができる（例えば図４に示すように第一ループＲ１の表裏を逆転して第二ループＲ２を露出させた状態で、図５及び図６に示すように第一ループＲ１の内側にタオル本体２を通して第一ループＲ１をタオル本体２に巻き付けるとともに、第二ループＲ２にフックＦを引っ掛けることで、タオル本体２を内側に通すループＲと、フックＦを引っ掛けるループＲとを、別々にすることができる）。そしてこのようにすれば、フックＦの牽引力によって、タオル本体２を通したループＲが伸びることや、タオル本体２を通したループＲの位置がずれることを回避できる（図５及び図６の例では、フックＦの牽引力によって、第一ループＲ１が伸びることや、第一ループＲ１の位置がずれることを回避できる）。したがって本実施形態のループ付きタオル１によれば、フックＦによってタオル１を他の物体（ユーザの衣服やベビーカー等）に吊り下げた状態で、ループＲの内側にタオル本体２を通した状態を維持できる（図５及び図６の例では、第一ループＲ１の内側にタオル本体２を通した状態を維持できる）。
【００２６】
なお図５に示すようにタオル１をズボン２１に吊り下げる場合は、例えば上記のフックＦとしてカラビナと称されるフックが使用されて、当該フックをベルト２０及び第二ループＲ２に引っ掛けることが行なわれる。また図６に示すようにタオル１をベビーカー２２に吊り下げる場合は、上記のフックＦとしてＳ字フックが使用されて、当該Ｓ字フックを、ベビーカー２２の持ち手２３及び第二ループＲ２に引っ掛けることが行なわれる。
【００２７】
また本実施形態のループ付きタオル１によれば、第一ループＲ１と第二ループＲ２とがタオル本体２の同一辺２ａに取り付けられる。このため、タオル本体２を折り畳んだり巻き回すことで、図７や図８の上図に示すようにタオル本体２の形態をコンパクトにした状態で、タオル本体２の外側に第一ループＲ１及び第二ループＲ２を延び出させることができる（第一ループＲ１及び第二ループＲ２が、コンパクトな形態にしたタオル本体２に覆われないようにすることができる）。これにより図７や図８の下図に示すように、コンパクトにしたタオル本体２の形態を維持すべくタオル本体２を第一ループＲ１の内側に通すことと（第一ループＲ１をタオル本体２に巻き付けることと）、タオル１を他の物体に吊り下げるべく第二ループＲ２にフックＦ（図５，図６）を引っ掛けることとを両立できる。
【００２８】
なお図７の下図に示すタオル１の形態は、タオル本体２を折り畳む作業を複数回行なってタオル１を図７の上図に示す状態にした後、第一ループＲ１の表裏を逆転させて、当該第一ループＲ１の内側にタオル本体２を通すことで実現されるものである。
【００２９】
また図８の下図に示すタオル１の形態は、図９（Ａ）〜図９（Ｅ）に示す作業を順次行なうことで実現されるものである。以下、図９（Ａ）〜図９（Ｅ）に示す作業について説明する。
【００３０】
まず、タオル本体２を拡げた状態から、一方の短辺２ｂ側にあるタオル本体２の幅１／３の範囲３０を折り畳むことが行なわれる（図９（Ａ）→図９（Ｂ））。ついで他方の短辺２ｂ側にあるタオル本体２の幅１／３の範囲３１を折り畳んで、当該範囲３１を先に折り畳んだ範囲３０の上に重ね合わせることが行なわれる（図９（Ｂ）→図９（Ｃ））。ついでループＲ１，Ｒ２が取り付けられていない一方の長辺２ａ側から、ループＲ１，Ｒ２が取り付けられた他方の長辺２ａ側に向けて、タオル本体２を巻き回すことが行なわれる（図９（Ｃ）→図９（Ｄ））。以上の作業によって、タオル１は図８の上図に示す状態となる。そして、第一ループＲ１の表裏を逆転させた状態で、第一ループＲ１の内側にタオル本体２を通して第一ループＲ１をタオル本体２に巻き付けることが行なわれる（図９（Ｄ）→図９（Ｅ））。これにより、タオル１は図８の下図に示す状態となる。この状態では、上記の折り畳み作業及び巻き回し作業によってコンパクトにされたタオル本体２の形態が第一ループＲ１によって維持される。また第二ループＲ２が露出することで、第二ループＲ２にフックＦを引っ掛けることが可能となる。
【００３１】
なお本実施形態のタオル１のように、タオル本体２が長方形を呈して、第一ループＲと第二ループＲ２とがタオル本体２の同一の長辺２ａに取り付けられる場合には、タオル本体２の短辺２ｂ（図１）の長さをＬｃｍとしたときに、タオル本体２の長辺２ａの長さが１Ｌｃｍ以上５Ｌｃｍ以下となり、タオル本体２の総重量が０．８Ｌｇ以上９Ｌｇ以下となり、第一ループＲ１の周回りの長さが０．２Ｌｃｍ以上０．７Ｌｃｍ以下となり、第一ループＲ１の幅が０．０３Ｌｃｍ以上０．２Ｌｃｍ以下となるようにすることが好ましい。このようにすれば、タオル本体２を折り畳んだり巻き回して、タオル本体２の形態をコンパクトにした状態で、第一ループＲ１の内側にタオル本体２を通して第一ループＲ１にタオル本体２を巻き付けることが可能となる。なお上記のようにタオル本体２の寸法・総重量及び第一ループＲ１の寸法が設定される場合には、例えば、第二ループＲ２の長さは０．０３Ｌｃｍ以上０．１Ｌｃｍ以下とされ、第二ループＲ２の幅は０．０３Ｌｃｍ以上０．２Ｌｃｍ以下とされる。なお本考案では、タオル本体２の厚さを示唆する指標として、上記のタオル本体２の総重量を使用している。これは、本考案が属するタオルの技術分野で、タオルの厚さを示唆する指標として、タオルの重量が一般的に使用されることによる。
【００３２】
また第一ループＲ１をタオル本体２に巻き付ける作業を円滑に行えるようにする観点から、第一ループＲ１は、伸縮性を有する素材から形成されることが好ましい。また第二ループＲ２に様々な大きさのフックＦを引っ掛けることを可能にする観点から、第二ループＲ１も、伸縮性を有する素材から形成されることが好ましい。
【００３３】
また本実施形態のループ付きタオル１によれば、第一ループＲ１が長辺２ａの中央位置に取り付けられるため、物体（例えばユーザーの衣服やベビーカー）に吊り下げられたタオル１に強い揺れが生じる場合でも、第一ループＲ１の内側にタオル本体２を通した状態（タオル本体２に第一ループＲ１を巻き付けた状態）を維持できるので、第一ループＲ１によってタオル本体２の形態を維持できる。
【００３４】
さらに本実施形態のループ付きタオル１によれば、第二ループＲ２も長辺２ａの中央位置に取り付けられることで、フックＦの吊り下げ位置（長辺２ａの中央位置）からタオル本体２が鉛直下方に垂れ下がる長さを短く抑えることができる（フックＦの吊り下げ位置とタオル本体２の最下部との間の高低差を小さく抑えることができる）。したがって本実施形態のループ付きタオル１は、タオル本体２が床或いは地面に接することを防止する上で有利である。
【００３５】
また本実施形態のループ付きタオル１は、第一ループＲ１に捻りを加えていない通常の状態で第二ループＲ２が第一ループＲ１の内側に位置するので、タオル１の外観を良好なものにすることができる（第二ループＲ２が第一ループＲ１の内側に位置しない場合に比して、外観をすっきりした印象を与えるものにすることができる）。なお第二ループＲ２の幅を第一ループＲ１の幅以下として、図１に示すように第一ループＲ１によって第二ループＲ２の全体を隠せば、タオル１の外観をより良好なものにすることができる。
【００３６】
また本実施形態のループ付きタオル１によれば、第一ループＲ１及び第二ループＲ２が、綿、ポリエステル、ナイロン、或いはポリウレタンから形成されることで、広く普及するペンを用いて文字等を第一ループＲ１及び／又は第二ループＲ２に記載できる。このためループＲ１，Ｒ２に記載した文字によってタオル１の用途やユーザ等を限定できる。例えば第一ループＲ１或いは第二ループＲ２にユーザの氏名を記載すれば、タオル１がユーザ以外の者に使用されることを防止できる。また第一ループＲ１或いは第二ループＲ２にタオル１が人体を拭くために使用されることを記載すれば、人体以外の物体を拭くためにタオル１が使用されることを防止できる。
【００３７】
なお第一ループＲ１及び第二ループＲ２の一方又は双方を、白色無地の素材から形成することが好ましい。このようにすれば、第一ループＲ１及び第二ループＲ２の一方又は双方に記載される文字等を明確に確認できる。
【００３８】
本考案のループ付きタオル１は、上記実施形態に示すものに限定されず、種々改変され得る。
【００３９】
例えば上記実施形態では、第一ループＲ１及び第二ループＲ２が、有端の帯材から構成される例を示したが、図１０に示すように、第一ループＲ１及び第二ループＲ２は、無端の環状体から構成されてもよい。
【００４０】
この場合、第一ループＲ１及び第二ループＲ２を構成する環状体は、例えば、綿、ポリエステル、ナイロン、或いはポリウレタンから形成される。そして例えば以下の作業Ｄ，Ｅ，Ｆが順次実行されて、ループＲ１，Ｒ２を構成する環状体がタオル本体２に取り付けられることで、第一ループＲ１に捻りを加えていない状態で、第二ループＲ２は、第一ループＲ１の内側に位置したものとなり、第一ループＲ１に捻りを加えて第一ループＲ１の表裏を逆転させることで、第二ループＲ２を露出させることが可能とされる。
【００４１】
作業Ｄ：第一ループＲ１を構成する環状体（以下、環状体Ｒ１と記す）の一部３２の外面３３（表面）を、タオル本体２の外縁部の一方面６に当接させる。
作業Ｅ：第二ループＲ２を構成する環状体（以下、環状体Ｒ２と記す）を環状体Ｒ１の内側に配置して、環状体Ｒ２の一部３４の外面３５（表面）を環状体Ｒ１の一部３２の内面３６（裏面）に当接させる。
作業Ｆ：重ね合わせた環状体Ｒ２の一部３４・環状体Ｒ１の一部３２・タオル本体２の外縁部を、糸３７で縫い合わせる。
【００４２】
また上記実施形態では、第一ループＲ１及び第二ループＲ２がタオル本体２の長辺２ａの同一位置（長辺２ａの中央位置）に取り付けられる例を示したが、第一ループＲ１及び第二ループＲ２は、タオル本体２の短辺２ｂの同一位置に取り付けられてもよい。また上記実施形態では、タオル本体２が長方形を呈していたが、タオル本体２の形状を正方形として、第一ループＲ１及び第二ループＲ２をタオル本体２の一辺の同一位置に取り付けてもよい。またタオル本体２が四角形（長方形或いは正方形）を呈する場合には、第一ループＲ１及び第二ループＲ２を、タオル本体２の同一辺の異なる位置に取り付けてもよい。以上のようにしても、第一ループＲ１と第二ループＲ２とがタオル本体２の同一辺に取り付けられることで、タオル本体２を折り畳んだ状態や、タオル本体２を巻き回した状態で、タオル本体２の外側に第一ループＲ１及び第二ループＲ２を延び出させることができる（第一ループＲ１及び第二ループＲ２がタオル本体２で覆われないようにすることができる）。このため、第一ループＲ１をタオル本体２に巻き付けてタオル本体２の形態を維持するとともに、第二ループＲ２にフックＦを引っ掛けて、当該フックＦによってタオル１を他の物体に吊り下げることができる。なお第一ループＲ１及び第二ループＲ２を異なる位置に取り付けることで第一ループＲ１の内側に第二ループＲ２を位置させない場合には、必ずしも、第二ループＲ２の周回りの長さを、第一ループＲ１の周回りの長さ未満とする必要はない（つまり第二ループＲ２の周回りの長さを、第一ループＲ１の周回りの長さ以上としてもよい）。この場合でも、第一ループＲ１及び第二ループＲ２の寸法等を適宜調整することで、第一ループＲ１をタオル本体２に巻き付けてタオル本体２の形態を維持し、第二ループＲ２にフックＦを引っ掛けることが可能である。
【００４３】
また第一ループＲ１及び第二ループＲ２の一方又は双方に模様が施されてもよい（図１１は、国旗の模様を第一ループＲに施した例を示しているが、第一ループＲ１又は第二ループＲ２に施す模様は、国旗の模様に限定されない）。このようにすれば、タオル１の意匠性を高めることができるので、タオル１をファッションアイテムやインテリアアイテムとして好適に使用できる。
【００４４】
またタオル１を吊り下げる物体も、ズボン等のユーザーの衣服やベビーカーに限定されず、様々な物体とされ得る。例えばタオル１をカバンやパイプ等に吊り下げる場合には、タオル本体２に第一ループＲ１を巻き付けてタオル本体２の形態を維持した状態で、第二ループＲ２にフックＦを引っ掛けて、当該フックＦによってタオル１をカバンやパイプ等に吊り下げることが行なわれる。
【００４５】
またタオル１を他の物体に吊り下げていない間において、タオル１は、様々な用途に使用され得る。例えば、タオル１は飲料容器４０からの液垂れを防止する手段として使用され得る（図１２）。この場合、例えば図１２に示すように、タオル本体２を巻き付けた飲料容器４０を第一ループＲ１の内側に通すことで、飲料容器４０にタオル本体２を巻き付けた状態が維持される。またタオル１は枕カバーとしても使用され得る（図１３）。この場合、例えば図１３に示すように、第一ループＲ１の内側に枕５０を通すことで、タオル１が枕５０に固定された状態とされ、この後、枕５０の回りにタオル本体２を巻き付けて、タオル本体２の短辺側端部を枕５０の下側に配置することが行なわれる。またタオル１は弁当箱を包む風呂敷としても使用され得る（図示省略）。この場合、例えば、タオル本体２の中央に弁当箱を載置した状態で弁当箱をタオル本体２で包み、この後、タオル本体２で包まれた弁当箱を第一ループＲ１の内側に通して第一ループＲ１を弁当箱に巻き付けることで、タオル本体２を第一ループＲ１で固定することが行なわれる。またタオル１は、ユーザの髪から水分が垂れ落ちることを防止する手段としても使用され得る。この場合、例えば、タオル本体２を巻き付けたユーザの頭部を第一ループＲ１の内側に通すことで、ユーザの頭部にタオル本体２を巻き付けた状態が維持される。また、タオル本体２でユーザの汗や物体の汚れを拭く際には、ループＲ１，Ｒ２がタオル本体２の外縁に取り付けられることで、ループＲ１，Ｒ２が汗や汚れを拭く作業の支障物にならない。
【００４６】
また、タオル本体２に取り付けるループＲは、上記実施形態で示した第一ループＲ１及び第二ループＲ２に限定されず、３以上のループＲがタオル本体２の辺に取り付けられてもよく、タオル本体２の２以上の辺にループＲが取り付けられてもよい。。またタオル本体２の形状を四角形以外の形状として、タオル本体２の外縁に複数のループＲを取り付けてもよい。以上のようにしても、タオル１が複数のループＲを備えるものとなるため、一のループＲの内側にタオル本体２を通し、他のループＲにフックＦを引っ掛けることができる。このため、フックＦの牽引力によって、タオル本体２を通した一のループＲが伸びたり、当該一のループＲの位置がずれることを回避できる。したがってフックＦによってタオル１を他の物体に吊り下げた状態で、一のループＲの内側にタオル本体２を通した状態を維持できる。
【符号の説明】
【００４７】
１  ループ付きタオル、
２  タオル本体、
２ａ  タオル本体の長辺、
２ｂ  タオル本体の短辺、
３  第一ループの一方面、
４  第一ループの他方面、
５  第一ループの一端部、
６  タオル本体の一方面、
７  第一ループの他端部、
８  タオル本体の他方面、
９  第二ループの一方面、
１０  第二ループの他方面、
１１  第二ループの一端部、
１２  第二ループの他端部、
１３，３５  糸、
２０  ベルト、
２１  ズボン、
２２  ベビーカー、
２３  ベビーカーの持ち手、
３０  タオル本体の一方の短辺側の幅１／３の範囲、
３１  タオル本体の他方の短辺側の幅１／３の範囲、
３２  第一ループの一部、
３３  第一ループの外面、
３４  第二ループの一部、
３５  第二ループの外面、
３６  第一ループの内面、
４０  飲料容器、
５０  枕、
Ｒ１  第一ループ、
Ｒ２  第二ループ
【図１】
0003227014.tif 000003
【図２】
0003227014.tif 000004
【図３】
0003227014.tif 000005
【図４】
0003227014.tif 000006
【図５】
0003227014.tif 000007
【図６】
0003227014.tif 000008
【図７】
0003227014.tif 000009
【図８】
0003227014.tif 000010
【図９】
0003227014.tif 000011
【図１０】
0003227014.tif 000012
【図１１】
0003227014.tif 000013
【図１２】
0003227014.tif 000014
【図１３】
0003227014.tif 000015
【手続補正書】
【提出日】令和2年4月10日(2020.4.10)
【手続補正１】
【補正対象書類名】実用新案登録請求の範囲
【補正対象項目名】全文
【補正方法】変更
【補正の内容】
【実用新案登録請求の範囲】
【請求項１】
タオル本体と、
前記タオル本体の外縁に取り付けられた複数のループとを備えるループ付きタオル。
【請求項２】
前記タオル本体は、四角形を呈しており、  
前記ループとして、前記タオル本体の一辺に取り付けられた第一ループ及び第二ループを備える請求項１に記載されるループ付きタオル。
【請求項３】
前記第一ループ及び前記第二ループは、前記タオル本体の一辺の同一位置に取り付けられており、
前記第一ループに捻りを加えていない状態において、前記第二ループは、前記第一ループの内側に位置し、前記第一ループに捻りを加えて前記第一ループの表裏を逆転させることで、前記第二ループを露出させることが可能である請求項２に記載のループ付きタオル。
【請求項４】
前記タオル本体は、長方形を呈しており、
前記第一ループ及び前記第二ループは、前記タオル本体の長辺の中央位置に取り付けられている請求項３に記載のループ付きタオル。
【請求項５】
前記タオル本体は、長方形を呈しており、
前記第一ループ及び第二ループは、前記タオル本体の同一の長辺に取り付けられており、
前記タオル本体の短辺の長さをＬｃｍとしたときに、前記タオル本体の長辺の長さは１Ｌｃｍ以上５Ｌｃｍ以下であり、前記タオル本体の総重量は０．８Ｌｇ以上９Ｌｇ以下であり、前記第一ループの周回りの長さは０．２Ｌｃｍ以上０．７Ｌｃｍ以下であり、前記第一ループの幅は０．０３Ｌｃｍ以上０．２Ｌｃｍ以下であり、前記第二ループの周回りの長さは０．０３Ｌｃｍ以上０．１Ｌｃｍ以下であり、前記第二ループの幅は０．０３Ｌｃｍ以上０．２Ｌｃｍ以下である請求項２乃至４のいずれかに記載のループ付きタオル。
【請求項６】
前記第一ループ及び前記第二ループは、それぞれ、綿、ポリエステル、ナイロン、或いはポリウレタンから形成される請求項２乃至５のいずれかに記載のループ付きタオル。
【請求項７】
前記第一ループ及び前記第二ループの一方又は双方は、白色の素材から形成されている請求項６に記載のループ付きタオル。